(57)【要約】【課題】顧客の店舗来店時、顧客が個人だけの来店なのか、グループでの来店なのかを判断し、顧客の来店形態及び顧客の属性に応じた効果的な広告を顧客に通知する。【解決手段】店舗は顧客の会員登録及び会員家族の家族会員登録を行い、それぞれの会員識別情報を記録したＲＦＩＤタグ付き会員カードを予め配布し、顧客の店舗来店時、店舗の入り口付近に、会員カードのＲＦＩＤタグを検知する手段を設けて、該顧客の会員番号を取得し、会員本人及びグループ家族のそれぞれの来店が所定時間内であるかにより、来店が個人かグループ家族かの判断をした上、顧客の来店形態及び顧客の属性に応じた広告／販売促進メッセージをキオスク端末に表示する広告システムを構成する。また、ＰＯＳ端末にも会員カードのＲＦＩＤタグを検知する手段を設けて、該売場の販売促進メッセージを該顧客に表示する。【選択図】図１
2006113819.tif 000002
【特許請求の範囲】
【請求項１】
顧客が持参する顧客識別情報が記憶された記憶媒体と、
店舗に設置され前記記憶媒体に記憶された顧客識別情報を非接触で検出する非接触検出手段と、
前記顧客識別情報、顧客属性、前記顧客が属するグループ、及びグループの属性を予め記憶しておく顧客データ記憶手段と、
前記非接触検出手段によって検出された顧客識別情報を、該顧客識別情報を取得した検出時間と共に記憶する来店データ記憶手段と、
前記顧客の顧客識別情報の検出時間と、前記顧客と同一グループに属する他の顧客識別情報の検出時間との差が所定時間内である場合に、前記顧客はグループで来店したと見做す顧客来店形態判断手段と、
前記顧客来店形態判断手段によって判断した顧客来店形態と、前記顧客データ記憶手段に記憶された顧客属性、または前記顧客が属するグループの属性に応じて、前記顧客に対して広告を通知する広告通知手段と、
を備えたことを特徴とする、顧客の来店形態と顧客属性に対応した広告通知システム。
【請求項２】
顧客が持参する顧客識別情報が記憶された記憶媒体と、
店舗に設置され前記記憶媒体に記憶された顧客識別情報を非接触で検出する非接触検出手段と、
前記顧客識別情報、顧客属性、前記顧客が属するグループ、及びグループの属性を予め記憶しておく顧客データ記憶手段と、
前記非接触検出手段によって検出された顧客識別情報を、該顧客識別情報を取得した検出時間と共に記憶する来店データ記憶手段と、
前記顧客の顧客識別情報の検出時間と、前記顧客と同一グループに属する他の顧客識別情報の検出時間との差が所定時間内であるか否かにより、前記顧客の来店形態を判断する顧客来店形態判断手段と、
前記顧客来店形態、顧客属性または前記顧客が属するグループの属性、及び店舗の各売り場の販売促進ターゲットに対応づけて、予め用意された広告メッセージが格納された販売促進データ記憶手段と、
前記非接触検出手段で顧客識別情報が検出されると、前記顧客来店形態判断手段によって判断した顧客来店形態と、前記顧客データ記憶手段に記憶された顧客属性、または前記顧客が属するグループの属性、及び店舗の各売り場の販売促進ターゲットに応じて、前記販売促進データ記憶手段に格納された広告メッセージから選択し、前記顧客に対して広告を通知する広告通知手段と、
前記広告通知手段の通知を受けて前記顧客に対して広告を表示する広告表示手段と、
を備えたことを特徴とする、顧客の来店形態と顧客属性に対応した広告通知システム。
【請求項３】
顧客登録及び顧客が属するグループ登録が行われ、該顧客を識別する顧客識別情報と共に、顧客属性、前記顧客が属するグループ、及びグループの属性を顧客データとして記憶装置に記憶するステップと、
前記顧客識別情報を記憶媒体に記憶するステップと、
顧客が持参する前記記憶媒体から顧客識別情報を非接触で検出するステップと、
前記非接触で検出するステップで検出した顧客識別情報を、その検出時間とともに記憶装置に記憶するステップと、
前記顧客の顧客識別情報の検出時間と、前記顧客と同一グループに属する他の顧客識別情報の検出時間との差が所定時間内であるか否かにより、前記顧客の来店形態を判断する顧客来店形態を判断するステップと、
前記顧客来店形態、顧客属性または前記顧客が属するグループの属性、及び店舗の各売り場の販売促進ターゲットに対応づけて、予め販売促進広告メッセージデータを格納するステップと、
前記顧客来店形態を判断するステップによって判断した顧客来店形態と前記顧客データ記憶装置内の顧客属性、または前記顧客が属するグループの属性に応じて、前記格納された販売促進広告メッセージを前記顧客に対して通知するステップと、
を備えたことを特徴とする、顧客の来店形態と顧客属性に対応した広告通知方法。
【請求項４】
販売促進メッセージを通知する広告通知プログラムであって、コンピュータに、
顧客登録及び顧客が属するグループ登録が行われ、該顧客を識別する顧客識別情報と共に、顧客属性、前記顧客が属するグループ、及びグループの属性を顧客データとして記憶装置に記憶する手段と、
前記顧客識別情報が記憶された記憶媒体から非接触で検出する手段で検出した顧客識別情報を、その検出時間と共に記憶装置に来店データとして記憶する手段と、
前記顧客の顧客識別情報の検出時間と、前記顧客と同一グループに属する他の顧客識別情報の検出時間との差が所定時間内であるか否かにより、前記顧客の来店形態を判断する顧客来店形態判断手段と、
前記顧客来店形態、顧客属性または前記顧客が属するグループの属性、及び店舗の各売り場の販売促進ターゲットに対応づけて、予め用意された広告メッセージを格納する販売促進データ記憶手段と、
前記顧客来店形態判断手段によって判断した顧客来店形態と前記顧客データ記憶装置内の顧客属性、または前記顧客が属するグループの属性に応じて、前記販売促進データ記憶手段から対応する広告メッセージを前記顧客に対して通知する広告通知手段と、
を実行させるためのプログラム。
【請求項５】
請求項１又は２のいずれか１つに記載された広告通知システムに使用されるサーバであって、
顧客識別情報、顧客属性、前記顧客が属するグループ、及びグループの属性を予め記憶しておく前記顧客データ記憶手段と、
前記非接触検出手段によって検出された顧客識別情報を、該顧客識別情報を取得した検出時間とともに記憶する来店データ記憶手段と、
前記顧客の顧客識別情報の検出時間と、前記顧客と同一グループに属する他の顧客識別情報の検出時間との差が所定時間内であるか否かにより、来店が個人かグループかを判断する顧客来店形態判断手段と、
前記顧客の来店形態、顧客属性または前記顧客が属するグループの属性、及び各売り場毎に設定された販売促進対象ターゲットに対応づけて予め用意された広告メッセージを格納する販売促進メッセージ格納手段と、
を有し、
店舗内の一以上の端末より通知された前記顧客識別情報、及び売り場を認識できる認識情報の通知を受けて、前記顧客来店形態、顧客属性または前記顧客が属するグループの属性、及び店舗の各売り場の販売促進ターゲットに対応した広告メッセージを前記端末に通知する事を特徴とするサーバ。
【発明の詳細な説明】
【技術分野】
【０００１】
本発明は、顧客の来店形態に応じて効果的に広告を顧客に通知する広告システムに関し、さらに詳しくは、ＲＦＩＤ（Ｒａｄｉｏ  Ｆｒｅｑｕｅｎｃｙ  Ｉｄｅｎｔｉｆｉｃａｔｉｏｎ）タグを付した会員カードの情報を、店舗入り口付近に備えたアンテナと読み取り装置で非接触で読み取り、顧客の来店が個人か、家族等のグループかを判断して、顧客の来店形態と顧客の属性に対応して、最適で有効な広告メッセージを通知する広告システムに関する。
【背景技術】
【０００２】
現状の店舗における広告メッセージは、基本的にどの顧客に対しても同じメッセージを通知するものがほとんどである。また、予め顧客の好みを収集、または購入履歴から購買傾向を分析し、顧客の好みを判断して、顧客毎の好みに応じた広告メッセージを顧客の携帯端末にＥメールで通知する方法や、キオスク端末などの案内情報端末にメッセージを表示するような仕組みも提案されている。
【０００３】
例えば、特許文献１では、来店した顧客の属性に応じて、広告主から依頼されて予め記憶している広告出力条件に適合する属性の顧客であるか否かを判断して、顧客の属性が該広告出力条件に適合する場合にのみ、予め預かった広告情報を顧客に対して出力する広告出力方法が記載されている。
【０００４】
しかしながら、上記の広告メッセージ通知システムは、個人で来店してもグループで来店しても通知されるメッセージが変わるわけではない。例えば、キオスク端末で店舗の広告メッセージを表示する際、個人で来店している際に家族で来店している顧客向けの広告メッセージが通知された場合、顧客は当該メッセージを読み飛ばそうとしたりして、わずらわしく感じる。また、近年は家族でのショッピングが休日を過ごす際の過ごし方として一般的になっている。顧客は、家族を連れての来店時には、単に商品を買う以外の楽しみ方を店舗に求め、店舗はそのような要求に応えて、様々なイベント等を催している。
【０００５】
家族での来店時の売上が個人での来店時の売上より高くなる傾向があるため、店舗としては家族連れで来店してほしく、このような家族連れに対して、家族向け広告を優先して通知したいと考えている。また、顧客は、家族連れで来店した際は、家族で楽しめるイベント等の通知を優先的に通知して欲しいと思っていることが多い。
【０００６】
しかし、現状の仕組みでは、上記に述べたように、個人で来店しても家族で来店しても同じ広告メッセージを表示するだけなので、個人での来店者、家族連れでの来店者に対する効果的な広告通知ができるような広告システムはなかった。
【特許文献１】特開２００２−１５２０４号公報
【発明の開示】
【発明が解決しようとする課題】
【０００７】
このような問題に鑑み、顧客が店舗に来店した際、顧客が個人で来店しているか、グループで来店しているのかを判断し、顧客がグループで来店している場合は、個人で来店した際の広告に優先してグループで来店した際の広告を顧客に通知し、個人で来店した際は個人の興味分野に関する広告等の個人向けの広告を通知する等、顧客の来店形態と顧客の属性に対応して、最適で有効な広告メッセージを通知する広告システムを構築することが課題である。
【課題を解決するための手段】
【０００８】
店舗は顧客の会員登録及び会員家族の家族会員登録を行い、それぞれの会員識別情報を記録したＲＦＩＤタグ付き会員カードを予め配布し、顧客の店舗来店時、店舗の入り口付近に、会員カードのＲＦＩＤタグを検知し該情報を読み取る手段を設けて、該顧客の会員番号を取得し、会員及び会員家族の来店が所定時間内であるかにより、来店が個人かグループ家族かの判断をした上、顧客の来店形態に応じた広告／販売促進メッセージをキオスク端末に表示する広告システムとすることを主な特徴とする。
【０００９】
また、売り場のＰＯＳ端末にも、ＲＦＩＤタグの検知／読み取り手段を設けて、各売り場でターゲットとする顧客への広告メッセージをキオスク端末により該顧客に表示する広告システムとする。
【発明の効果】
【００１０】
店舗はグループで来店した顧客に、個人向け広告に優先してグループ来店向け広告を通知可能にすることで、顧客の来店形態に応じて効果的に広告を顧客に通知でき、また、顧客は顧客の来店時の形態によって必要な広告を優先的に受けることができ、煩わしさを感じることがなく、その結果、顧客の来店回数を増やし、売上増を期待できる。
【発明を実施するための最良の形態】
【００１１】
会員登録及び家族会員登録を行った、それぞれの顧客に、会員識別情報を記録したＲＦＩＤタグ付き会員カードを予め配布し、顧客の店舗来店時、店舗の入り口付近に、会員カードのＲＦＩＤタグと所定周波数の電波で交信するアンテナおよびＲＦＩＤタグからの情報を読み取るリーダからなるＲＦＩＤタグ検知手段を設けて、該顧客の会員番号を取得し、会員及び会員家族の来店が所定時間内であるかにより、来店が個人かグループ家族かの判断をする。また、キオスク端末にも上記ＲＦＩＤタグ検知手段を設けておき、該顧客のキオスク端末接近を検知して、該顧客の来店形態に応じた広告／販売促進メッセージをキオスク端末に表示する広告システムとする。
【００１２】
また、店舗内の売り場のＰＯＳ端末にもＲＦＩＤタグ検知手段を設け、該売り場コーナ近くを通った顧客の会員カ−ドのＲＦＩＤタグを上記ＲＦＩＤタグ検知手段で検知して、広告メッセージの効果を期待できる顧客に対して、その売り場の広告を顧客の携帯端末等に通知する。
【実施例１】
【００１３】
本広告メッセージ通知システムのシステム構成図は、実施例１〜３で共通であり、これを図１に示す。図１において、１は顧客会員カードに付けられたＲＦＩＤタグ、２はＲＦＩＤ検知部、３は電波送受信アンテナ、４はＲＦＩＤリーダ／ライタ、５はサーバ、６は顧客マスタＤＢ（データベース）、７は来店情報ＤＢ、８はメッセージＤＢ、９は店舗内ＬＡＮ、１０は店舗内ＬＡＮに接続されたキオスク端末である。尚、図１のキオスク端末１０では、ＲＦＩＤ検知部２の詳細構成である電波送受信アンテナ３、ＲＦＩＤリーダ／ライタ４の図示は省略している。
【００１４】
図２は会員番号等を記録済みのＲＦＩＤタグ１と磁気ストライプを裏面に備えた会員カード例であり、表面にはＸＸＸスーパー会員カード、会員名などの表示がされている。図３は顧客マスタＤＢ６（実施例１〜４共通）の内容を例示するもので、会員番号に対応して、年齢や性別の顧客属性、家族会員の有無、家族会員数、Ｅ−Ｍａｉｌアドレス、家族個々の家族会員番号、及び家族個々の続柄や年齢の家族属性が登録される。図４は来店情報ＤＢ７（実施例１〜４共通）を例示するもので、各会員番号に対応した来店時間が記録される。
【００１５】
さて、まず店舗は顧客に、図２に例示した会員識別情報を記録したＲＦＩＤタグ１が貼り付けられた会員カードを予め配布し、かつ、会員の家族についても家族会員登録を行い、家族についても会員識別番号を記録したＲＦＩＤタグ１が貼り付けられた会員カードを予め配布する。他方で店舗は図１のシステム構成図に示したように、店舗の入り口付近にアンテナ３とＲＦＩＤリーダ／ライタ４からなるＲＦＩＤ検知部２を設け、顧客が来店した際、顧客が所持している会員カードを検知して該顧客の会員識別番号を取得し、図４に示すように来店情報ＤＢ７に該顧客の会員番号と来店日時を記録する。ＲＦＩＤタグ１には、日本では周波数９５０〜９５６ＭＨｚの割当予定のマイクロ波による通信距離３〜６メートルのものが適切と考えられるが、これに限られるものではないことは言うまでもない。
【００１６】
ところで、大規模な店舗であれば出入口も複数あり、会員本人とその家族とは連れ立ってほぼ同時に入店する場合だけではなく、別々の入り口から入店したり多少の時間のずれを持って入店することもある。そこでサーバ５の来店情報ＤＢの制御において、例えば３０分程度を所定時間内として、顧客来店情報ＤＢ７を参照し、所定時間内に会員本人とその家族の入店があれば、グループでの入店と判断し、その所定時間内の入店がどちらか一方だけと判断した場合には、会員本人単独の入店か、家族だけの入店と判断する。また、入店と退出との区別が必要であるが、入店のフラグを立てた後、次に顧客の通過を検出した場合には、退出と見做して該フラグをオフにするよう制御する。顧客の通過が入店か、退出かの識別は、出入口を一方通行とすることや、数メートル離れて設置したアンテナ３から順次検出した場合に入店と識別する等の方法が考えられる。以上は以下の実施例においても共通な部分であるので、実施例２以降では説明を省略する。
【００１７】
次に、店舗内での広告方法に関する説明を行う。本実施例１では、店舗内にキオスク端末１０を設置し、キオスク端末１０でイベント情報の通知、および広告メッセージの表示を行い、また、該キオスク端末１０にもＲＦＩＤ検知部２を設ける。図５に本実施例１でのキオスク端末１０の構成図を例示する。図５において、３は電波送受信アンテナ、４はＲＦＩＤリーダ／ライタで図１と同様であり、１１はプロセッサ、１２は表示部、１３は表示部と一体に組付けら操作入力するためのタッチパネル、１４は入力／出力処理部、１５はＲＦＩＤリーダ／ライタ４から得られた情報を把握するＲＦＩＤ認識部、１６はＬＡＮを経由してサーバとの連携するサーバ連携部、１７はＲＦＩＤタグ１との交信の結果で検知した会員番号をサーバ５に送信する会員番号送信部、１８はキオスク端末に表示するメッセージデータを受信するメッセージ受信部、１９はメッセージ表示部である。
【００１８】
図６に本実施例１での、キオスク端末１０のメッセージ表示処理フローを示す。ステップＳ１で、顧客が当該キオスク端末１０を操作しようとキオスク端末に近づいてくると、顧客の会員カ−ドから発せられる電波を検知して、該顧客の会員番号を取得した後、ステップＳ２で、顧客マスタＤＢを参照して判断し、次に該顧客に家族会員がいるか顧客マスタＤＢ６を参照してチェックする。ステップＳ３で、該顧客に家族会員がいない場合は、通常の販促メッセージを該会員に通知する。
【００１９】
ステップＳ４で、該顧客に家族会員がある場合は、ステップＳ５に進み、さらに、ステップＳ６で、来店情報ＤＢ７を検索して、該顧客の来店時間から所定時間以内に該顧客の家族が来店しているかチェックする。ステップＳ７で、該顧客の家族が所定時間内に来店している場合は、次にステップＳ８で、例えば、該家族に子供が含まれるか判断する。該家族に子供が含まれる場合はステップＳ９に進み、子供の年齢を判断して例えば６歳以下であると判断された場合には、該顧客向けに、家族同伴用の販促メッセージの送信（メッセージ番号１）を依頼し、当該メッセージを受信し、ステップＳ１１で図８に示すような家族同伴用の販促メッセージをキオスク端末に表示する。
【００２０】
ステップＳ１２で顧客によりキオスク端末の、『次メッセージ表示キー』が押下されると、ステップＳ１３でサーバに通常の販促メッセージの送信（メッセージ番号２）を依頼し、当該メッセージを受信すると、ステップＳ１４で図８に示す通常の販促メッセージをキオスク端末に表示する。また、ステップＳ３〜ステップＳ９で、Ｎの場合は、Ｓ１５に移行し、サーバに通常の販促メッセージの送信（メッセージ番号２）を依頼し、当該メッセージを受信すると、ステップＳ１６で図８に示す通常の販促メッセージをキオスク端末に表示する。ステップＳ１４、Ｓ１６のいずれの場合でも、一定時間、操作入力がない場合には、顧客がいないと見做して、ステップＳ１７でメニュー画面表示に移行する。
【００２１】
図７にメッセージＤＢ８に登録されている広告メッセージを例示する。本実施例１では、図７（１）の実施例１のメッセージＤＢに示すように、所定年齢以下の子供を含んだ家族が来店していると判断された場合には、メッセージ番号１が、そうでない場合にはメッセージ番号２が選択され、その結果、図８に示すような（１）家族同伴用の販促メッセージや、（２）通常の販促メッセージがキオスク端末１０に表示される。
【実施例２】
【００２２】
実施例２でも、広告メッセージ通知システムのシステム構成図は図１、キオスク端末１０の構成図は図５と同じであり説明を省略する。図９に本実施例２での、キオスク端末のメッセージ表示処理フローを示すが、例えば店舗内にキオスク端末を設置し、当該キオスク端末にＲＦＩＤ検知部２を設ける処までは実施例１と同様であり、以下図９のフロー図に基づいて説明を述べる。
【００２３】
ステップＳ２１で、顧客が当該キオスク端末１０を操作しようとキオスク端末１０に近づいてくると、顧客の会員カ−ドのＲＦＩＤタグ１を検知して、該顧客の会員番号を取得した後、ステップＳ２２で、キオスク端末１０はサーバ５の顧客マスタＤＢ６を参照して顧客はメッセージ送信対象の３０代女性であるか否かを判断し、Ｙの場合はさらに、ステップＳ２３で、顧客マスタＤＢ６を参照し、該会員は家族会員がいるかチェックし、ステップＳ２４で、家族会員がありの場合には、ステップＳ２５でサーバ５の来店情報ＤＢ７を検索し該顧客の会員番号があるか検索し、ステップＳ２６で該顧客に家族会員番号がある場合には、ステップＳ２７でサーバ５の来店情報ＤＢ７を検索し、該顧客の来店時間と該顧客の来店時間を取得し、ステップＳ２８で該顧客の来店時間と家族の来店時間の差が一定時間内でありＹの場合は、ステップＳ２９で来店している家族は夫を含むかを判断しＹの場合には、ステップＳ３０でサーバにメッセージの送信（メッセージ送信番号１）を依頼し、当該メッセージを受信する。
【００２４】
一方、ステップＳ２４で家族会員がなしの場合は、３０代の独身女性であって購入の自由度が高いと判断して、ステップＳ３１に移行しサーバに販促メッセージ（メッセージ番号１）の送信を依頼し、当該メッセージを受信する。また、ステップＳ２６で家族会員番号がなし、ステップＳ２８で家族の来店なし、及びステップＳ２９で夫を含まず、のいずれのステップでもＮの場合は、夫の来店がない場合であると判断し、ステップＳ３２に移行し、サーバに販促メッセージ（メッセージ送信番号２）の送信を依頼し当該メッセージを受信する。ステップＳ３０、ステップＳ３２のいずれの場合でも、ステップＳ３３に移行し、受信した販促メッセージをキオスク端末に表示する。図１０（１）にメッセージ送信番号１の、図１０（２）にメッセージ送信番号２の、キオスク端末に表示する販促メッセージ例を示す。
【００２５】
次に、ステップＳ３４で顧客によりキオスク端末１０の、『次メッセージ表示キー』が押下された場合と、ステップＳ２２に戻って顧客がメッセージ送信対象の３０代女性でない場合には、ステップＳ３５に移行しサーバに通常の販促メッセージの送信（メッセージ番号３）を依頼し、当該メッセージを受信すると、ステップＳ３６で図１０（３）に示す通常の販促メッセージをキオスク端末に表示し、その後、一定時間、操作入力がない場合には、顧客がいないと見做して、ステップＳ３７でメニュー画面表示に移行する。
【実施例３】
【００２６】
実施例１と同様に、例えば店舗内にキオスク端末１０を設置し、当該キオスク端末１０にＲＦＩＤ検知部２を設ける。キオスク端末１０を操作する顧客の会員カ−ドからＲＦＩＤタグ１を検知して、該顧客の会員番号を取得した後、サーバ５に該会員の会員番号を送信する。サーバ５は、メッセージＤＢ８と顧客マスタＤＢ６を参照して該当する条件のメッセージを選択しキオスク端末１０に送信する。メッセージＤＢ８に定義してある優先順位順に販促メッセージを該顧客に表示する。
【００２７】
図１１には本実施例での、キオスク端末１０及びサーバ５のそれぞれのメッセージ送信処理フロー（実施例３）を示す。キオスク端末１０のステップＳ４１では、ＲＦＩＤタグ１の電波を検出するとステップＳ４２で取得した会員番号をサーバ５に送信し、ステップＳ４３でサーバ５から送信されたメッセージを受信する。ここで、後述するサーバ側のフローで説明するように、サーバ側からはインデックス分ループした結果の該当するメッセージをその都度、送信してくるので、その分のメッセージを受信することになる。次に、ステップＳ４４で該メッセージをキオスク端末１０に表示し、ステップＳ４５で顧客の操作による終了キーを押下されるのを待って、ステップＳ４６でメニュー画面表示に戻る。
【００２８】
一方サーバ側では、キオスク端末側フローのステップＳ５２で会員番号の送信を受けると、ステップＳ５１で、図７の（３）に示す実施例３のメッセージＤＢの表の最左欄の「インデックス」数分（本実施例では「３」）、ステップ５２以下のフローをループして、キオスク端末１０に送信するメッセージを検索する。つまり、サーバ５はステップＳ５２で顧客マスタＤＢ６とメッセージＤＢ８を参照し、該会員はメッセージ送信ターゲットかを判断し、ステップＳ５３で送信ターゲットと判断すると、ステップＳ５４で家族会員有かを判断し、ステップＳ５５で家族会員有の場合には、ステップＳ５６で来店情報ＤＢ７を検索し、該顧客の家族会員番号があるか検索し、ステップＳ５７で家族会員番号が有の場合には、ステップＳ５８で来店情報ＤＢ７を検索し、該顧客の来店時間と該顧客の家族の来店時間を取得する。
【００２９】
ステップＳ５９で該顧客の来店時間と該顧客の家族の来店時間の差が一定時間内であれば、ステップＳ６０で来店情報ＤＢ７、顧客マスタＤＢ６から来店グループ構成を判断し、送信メッセージを決定し、ステップＳ６３でキオスク端末１０にメッセージを送信する。ステップＳ５５に戻って、家族会員がない場合は、ステップＳ６１で家族会員なし向けメッセージを選択し、またステップＳ５７に戻って家族会員番号がない場合には、ステップＳ６２で個人来店向けメッセージを選択し、ステップＳ６３で共に、それぞれのメッセージをキオスク端末１０に送信する。次に、先頭のステップＳ５１に戻って、インデックス数分になる迄、上記説明のループの検索を繰り返し、最後にステップＳ６４でインデックス数分ループして終了する。
【実施例４】
【００３０】
図１２に実施例４での、システム構成図を示す。同図において、２０は各売り場の清算カウンタに設置されているＰＯＳ端末であり、１〜９迄は図１と同じであり、説明を省略する。また、本実施例４のＰＯＳ端末構成図を図１３に示すが、実施例４でも実施例１と同様に、一般的ＰＯＳ端末に電波送受信アンテナ３、ＲＦＩＤリーダ／ライタ４及びＲＦＩＤ認識部１５を設けており、図１３において、３、４、１５は図５の同一番号と同様であり、２１はプロセッサ、２２はオペレータディスプレイ、２３はバーコードスキャナ、２４はオペレータキーボード、２５はオペレータ側入力／出力処理部、２６はサーマルプリンタ、２７はレシート発行部、２８はＰＬＵファイル、２９はサーバ連携部、３０は会員番号送信部である。尚、ＰＬＵファイルはバーコードスキャナ２３から読み取ったバーコード情報から商品価格を参照（Ｐｒｉｃｅ  Ｌｏｏｋ  Ｕｐ）して清算処理を行うためのファイルである。
【００３１】
図１４はＰＯＳ端末２０及びサーバ５のそれぞれの処理フローを示す。さて、ＲＦＩＤ検知手段を設けた宝飾コーナーのＰＯＳ端末２０は、ステップＳ７１で、宝飾コーナ近くを通った顧客の会員カ−ドのＲＦＩＤタグ１を検知して、ステップＳ７２でＰＯＳ端末２０が設置されている売り場及び該顧客の会員番号を取得した後、サーバ５に売り場情報と会員番号を通知する。ステップＳ７３でサーバ５は売り場とメッセージＤＢ８を参照して送信ターゲットがあるか判断する。
【００３２】
ステップＳ７４で、売り場のターゲットがあると判断されたときは、ステップＳ７５で、顧客マスタＤＢ６とメッセージＤＢ８とを参照し、該会員はメッセージ送信ターゲットかを判断し、ステップＳ７６で送信ターゲット顧客であると判断した場合には、ステップＳ７７でさらに家族会員が有るか、有る場合にはステップＳ７８で来店情報ＤＢ７を検索し該顧客の家族会員番号があるか検索し、ステップＳ７９で家族会員番号有りの場合には、ステップＳ８０で、来店情報ＤＢ７を検索し該顧客の来店時間と該顧客の家族の来店時間を取得し、ステップＳ８１で、該顧客の来店時間と該顧客の家族の来店時間の差が一定時間内であれば、ステップＳ８２に移行し、来店情報ＤＢ７と顧客マスタＤＢ６から来店グループ構成を判断し、図７（４）に例示する実施例４のメッセージＤＢ８から送信メッセージを決定し、ステップＳ８５で、当該顧客宛Ｅメールにメッセージを送信する。
【００３３】
その結果、例えば宝飾コーナの場合に、ターゲットが３０代女性の場合、夫と来店していると判断された場合には、図７（４）のメッセージ番号１が選択され、図１５に例示する実施例４メッセージ例（１）が、それ以外の場合にはメッセージ番号２が選択され、図１５に例示する実施例４メッセージ例（２）が表示される。
【００３４】
尚、本実施例ではＰＯＳ端末としたが、ＰＯＳ端末に限らず、顧客識別情報を非接触で検出する前記非接触検出手段と、売り場の販売促進ターゲットに対応づけられて売り場を認識させる情報を通知する売り場認識情報通知手段とを備えた一般端末でも、サーバからの通知を受けて顧客に対して適切な広告を表示することが可能であることはいうまでもない。また、本実施例４で顧客の携帯端末のメール送信先に広告を通知することは、簡単な広告内容であれば、実施例１〜２においても、選択された適切な広告を通知／表示させる先が、キオスク端末に代えて顧客の携帯端末とすることも可能であることは言うまでもない。
【００３５】
（付記１）
顧客が持参する顧客識別情報が記憶された記憶媒体と、
店舗に設置され前記記憶媒体に記憶された顧客識別情報を非接触で検出する非接触検出手段と、
前記顧客識別情報、顧客属性、前記顧客が属するグループ、及びグループの属性を予め記憶しておく顧客データ記憶手段と、
前記非接触検出手段によって検出された顧客識別情報を、該顧客識別情報を取得した検出時間と共に記憶する来店データ記憶手段と、
前記顧客の顧客識別情報の検出時間と、前記顧客と同一グループに属する他の顧客識別情報の検出時間との差が所定時間内である場合に、前記顧客はグループで来店したと見做す顧客来店形態判断手段と、
前記顧客来店形態判断手段によって判断した顧客来店形態と、前記顧客データ記憶手段に記憶された顧客属性、または前記顧客が属するグループの属性に応じて、前記顧客に対して広告を通知する広告通知手段と、
を備えたことを特徴とする、顧客の来店形態と顧客属性に対応した広告通知システム。
【００３６】
（付記２）
顧客が持参する顧客識別情報が記憶された記憶媒体と、
店舗に設置され前記記憶媒体に記憶された顧客識別情報を非接触で検出する非接触検出手段と、
前記顧客識別情報、顧客属性、前記顧客が属するグループ、及びグループの属性を予め記憶しておく顧客データ記憶手段と、
前記非接触検出手段によって検出された顧客識別情報を、該顧客識別情報を取得した検出時間と共に記憶する来店データ記憶手段と、
前記顧客の顧客識別情報の検出時間と、前記顧客と同一グループに属する他の顧客識別情報の検出時間との差が所定時間内であるか否かにより、前記顧客の来店形態を判断する顧客来店形態判断手段と、
前記顧客来店形態、顧客属性または前記顧客が属するグループの属性、及び店舗の各売り場の販売促進ターゲットに対応づけて、予め用意された広告メッセージが格納された販売促進データ記憶手段と、
前記非接触検出手段で顧客識別情報が検出されると、前記顧客来店形態判断手段によって判断した顧客来店形態と、前記顧客データ記憶手段に記憶された顧客属性、または前記顧客が属するグループの属性、及び店舗の各売り場の販売促進ターゲットに応じて、前記販売促進データ記憶手段に格納された広告メッセージから選択し、前記顧客に対して広告を通知する広告通知手段と、
前記広告通知手段の通知を受けて前記顧客に対して広告を表示する広告表示手段と、
を備えたことを特徴とする、顧客の来店形態と顧客属性に対応した広告通知システム。
【００３７】
（付記３）
顧客登録及び顧客が属するグループ登録が行われ、該顧客を識別する顧客識別情報と共に、顧客属性、前記顧客が属するグループ、及びグループの属性を顧客データとして記憶装置に記憶するステップと、
前記顧客識別情報を記憶媒体に記憶するステップと、
顧客が持参する前記記憶媒体から顧客識別情報を非接触で検出するステップと、
前記非接触で検出するステップで検出した顧客識別情報を、その検出時間とともに記憶装置に記憶するステップと、
前記顧客の顧客識別情報の検出時間と、前記顧客と同一グループに属する他の顧客識別情報の検出時間との差が所定時間内であるか否かにより、前記顧客の来店形態を判断する顧客来店形態を判断するステップと、
前記顧客来店形態、顧客属性または前記顧客が属するグループの属性、及び店舗の各売り場の販売促進ターゲットに対応づけて、予め販売促進広告メッセージデータを格納するステップと、
前記顧客来店形態を判断するステップによって判断した顧客来店形態と前記顧客データ記憶装置内の顧客属性、または前記顧客が属するグループの属性に応じて、前記格納された販売促進広告メッセージを前記顧客に対して通知するステップと、
を備えたことを特徴とする、顧客の来店形態と顧客属性に対応した広告通知方法。
【００３８】
（付記４）
販売促進メッセージを通知する広告通知プログラムであって、コンピュータに、
顧客登録及び顧客が属するグループ登録が行われ、該顧客を識別する顧客識別情報と共に、顧客属性、前記顧客が属するグループ、及びグループの属性を顧客データとして記憶装置に記憶する手段と、
前記顧客識別情報が記憶された記憶媒体から非接触で検出する手段で検出した顧客識別情報を、その検出時間と共に記憶装置に来店データとして記憶する手段と、
前記顧客の顧客識別情報の検出時間と、前記顧客と同一グループに属する他の顧客識別情報の検出時間との差が所定時間内であるか否かにより、前記顧客の来店形態を判断する顧客来店形態判断手段と、
前記顧客来店形態、顧客属性または前記顧客が属するグループの属性、及び店舗の各売り場の販売促進ターゲットに対応づけて、予め用意された広告メッセージを格納する販売促進データ記憶手段と、
前記顧客来店形態判断手段によって判断した顧客来店形態と前記顧客データ記憶装置内の顧客属性、または前記顧客が属するグループの属性に応じて、前記販売促進データ記憶手段から対応する広告メッセージを前記顧客に対して通知する広告通知手段と、
を実行させるためのプログラム。
【００３９】
（付記５）
付記１又は２のいずれか１つに記載された広告通知システムに使用されるサーバであって、
顧客識別情報、顧客属性、前記顧客が属するグループ、及びグループの属性を予め記憶しておく前記顧客データ記憶手段と、
前記非接触検出手段によって検出された顧客識別情報を、該顧客識別情報を取得した検出時間とともに記憶する来店データ記憶手段と、
前記顧客の顧客識別情報の検出時間と、前記顧客と同一グループに属する他の顧客識別情報の検出時間との差が所定時間内であるか否かにより、来店が個人かグループかを判断する顧客来店形態判断手段と、
前記顧客の来店形態、顧客属性または前記顧客が属するグループの属性、及び各売り場毎に設定された販売促進対象ターゲットに対応づけて予め用意された広告メッセージを格納する販売促進メッセージ格納手段と、
を有し、
店舗内の一以上の端末より通知された前記顧客識別情報、及び売り場を認識できる認識情報の通知を受けて、前記顧客来店形態、顧客属性または前記顧客が属するグループの属性、及び店舗の各売り場の販売促進ターゲットに対応した広告メッセージを前記端末に通知する事を特徴とするサーバ。
【００４０】
（付記６）
付記２に記載の広告通知システムに使用されるＰＯＳ端末装置であって、
店舗内売り場に設置され、顧客識別情報を非接触で検出する前記非接触検出手段と、
該売り場の販売促進ターゲットに対応づけて売り場を認識する情報を通知する売り場認識情報通知手段と、
を備え、付記５に記載のサーバに、前記顧客識別情報と売り場認識情報を通知することを特徴とするＰＯＳ端末装置。
【００４１】
（付記７）
付記１〜２に記載の前記広告通知手段は、前記顧客の顧客データに登録されている携帯端末のメール送信先に対して広告を通知するものであり、付記２に記載の前記広告表示手段は顧客の携帯端末であることを特徴とする、付記１〜２に記載の顧客の来店形態と顧客属性に対応した広告通知システム。
【００４２】
（付記８）
付記１又は２のいずれか１つに記載の広告通知システムに使用される端末装置であって、
顧客識別情報を非接触で検出する前記非接触検出手段と、
売り場の販売促進ターゲットに対応づけられて売り場を認識させる情報を通知する売り場認識情報通知手段と、
を備え、付記５に記載のサーバに、前記顧客識別情報と売り場認識情報を通知し、サーバからの通知を受けた前記顧客に対する広告を表示することを特徴とする端末装置。
【００４３】
（付記９）
前記顧客来店形態判断手段は、来店顧客の進入方向に所定距離間隔をおいて設置した複数の非接触検出手段による、前記記憶媒体から非接触で検出する非接触検出手段の時間差をもって判断するものであることを特徴とする、付記１〜２に記載の顧客の来店形態と顧客属性に対応の広告通知システム。
【００４４】
（付記１０）
前記記憶媒体は、ＲＦＩＤタグであることを特徴とする、付記１〜９のいずれか１項に記載の広告通知システム。
【図面の簡単な説明】
【００４５】
【図１】本発明の実施例１〜３のシステム構成図である。
【図２】会員カード実施例（実施例１〜４共通）である。
【図３】顧客マスタＤＢ実施例（実施例１〜４共通）である。
【図４】来店情報ＤＢ実施例（実施例１〜４共通）である。
【図５】キオスク端末構成図（実施例１〜３）図である。
【図６】キオスク端末のメッセージ表示処理フロー（実施例１）である。
【図７】メッセージＤＢの実施例である。
【図８】実施例１のメッセージ表示例である。
【図９】キオスク端末のメッセージ表示処理フロー（実施例２）である。
【図１０】実施例２のメッセージ表示例である。
【図１１】メッセージ送信処理フロー（実施例３）である。
【図１２】本発明の実施例４のシステム構成図である。
【図１３】ＰＯＳ端末構成図（実施例４）である。
【図１４】メッセージ送信処理フロー（実施例４）である。
【図１５】実施例４のメッセージ表示例である。
【符号の説明】
【００４６】
１  ＲＦＩＤタグ
２  ＲＦＩＤ検知部
３  電波送受信アンテナ
４  ＲＦＩＤリーダ／ライタ
５  サーバ
６  顧客マスタＤＢ
７  来店情報ＤＢ
８  メッセージＤＢ
９  店舗内ＬＡＮ
１０  キオスク端末
１１  プロセッサ
１２  表示部
１３  タッチパネル
１４  入力／出力処理部
１５  ＲＦＩＤ認識部
１６  サーバ連携部
１７  会員番号送信部
１８  メッセージ受信部
１９  メッセージ表示部
２０  ＰＯＳ端末
２１  プロセッサ
２２  オペレータディスプレイ
２３  バーコードスキャナ
２４  オペレータキーボード
２５  オペレータ側入力／出力処理部
２６  サーマルプリンタ
２７  レシート発行部
２８  ＰＬＵファイル
２９  サーバ連携部
３０  会員番号送信部
【図１】
2006113819.tif 000003
【図２】
2006113819.tif 000004
【図３】
2006113819.tif 000005
【図４】
2006113819.tif 000006
【図５】
2006113819.tif 000007
【図６】
2006113819.tif 000008
【図７】
2006113819.tif 000009
【図８】
2006113819.tif 000010
【図９】
2006113819.tif 000011
【図１０】
2006113819.tif 000012
【図１１】
2006113819.tif 000013
【図１２】
2006113819.tif 000014
【図１３】
2006113819.tif 000015
【図１４】
2006113819.tif 000016
【図１５】
2006113819.tif 000017